【手続補正書】
【提出日】令和2年10月12日(2020.10.12)
【手続補正１】
【補正対象書類名】特許請求の範囲
【補正対象項目名】全文
【補正方法】変更
【補正の内容】
【特許請求の範囲】
【請求項１】
発光素子と、
前記発光素子のアノードにソースが接続される駆動トランジスタと、
前記駆動トランジスタのゲートにソースが接続され、前記駆動トランジスタへ書き込まれる信号電圧をサンプリングするサンプリングトランジスタと、
所定のタイミングで前記発光素子のアノードを所定の電位にリセットするリセットトランジスタと、
を備え、
前記リセットトランジスタは、前記駆動トランジスタへの前記信号電圧の書き込み前にオンからオフに切り替わり、該切り替わりの後で前記駆動トランジスタへの前記信号電圧の書き込みが行われている間にオフからオンに切り替わり、該書き込みの後で前記発光素子が発光する期間の前にオンからオフに切り替わる、画素回路。
【請求項２】
前記リセットトランジスタは、前記サンプリングトランジスタがオフからオンに切り替わって前記駆動トランジスタへの前記信号電圧の書き込みが行われている間にオフからオンに切り替わる、請求項１に記載の画素回路。
【請求項３】
前記リセットトランジスタは、前記駆動トランジスタへの前記信号電圧の書き込みが終わり、前記サンプリングトランジスタがオンからオフに切り替わった後にオンからオフに切り替わる、請求項１または２に記載の画素回路。
【請求項４】
前記駆動トランジスタのドレインにソースが接続され、前記発光素子が発光する期間においてオフからオンに切り替わる発光制御トランジスタをさらに備える、請求項１〜３のいずれか１項に記載の画素回路。
【請求項５】
前記発光制御トランジスタは、Ｐチャネル型のトランジスタである、請求項４に記載の画素回路。
【請求項６】
前記リセットトランジスタは、Ｐチャネル型のトランジスタである、請求項１〜５のいずれか１項に記載の画素回路。
【請求項７】
前記駆動トランジスタは、Ｐチャネル型のトランジスタである、請求項１〜６のいずれか１項に記載の画素回路。
【請求項８】
請求項１〜７のいずれか１項に記載の画素回路が配置される画素アレイ部と、
前記画素アレイ部を駆動させる駆動回路と、
を備える、表示装置。
【請求項９】
請求項８に記載の表示装置を備える、電子機器。
【請求項１０】
発光素子と、
前記発光素子のアノードにソースが接続される駆動トランジスタと、
前記駆動トランジスタのゲートにソースが接続され、前記駆動トランジスタへ書き込まれる信号電圧をサンプリングするサンプリングトランジスタと、
所定のタイミングで前記発光素子のアノードを所定の電位にリセットするリセットトランジスタと、
を備える画素回路において、
前記駆動トランジスタへの前記信号電圧の書き込み前に前記リセットトランジスタがオンからオフに切り替わることと、
前記駆動トランジスタへの前記信号電圧の書き込みが行われている間に前記リセットトランジスタがオフからオンに切り替わることと、
前記書き込みの後で前記発光素子が発光する期間の前に前記リセットトランジスタがオンからオフに切り替わることと、
を含む、画素回路の制御方法。
【手続補正２】
【補正対象書類名】明細書
【補正対象項目名】００３５
【補正方法】変更
【補正の内容】
【００３５】
そして垂直スキャナ１３０は、オートゼロスキャナ１３１、駆動スキャナ１３２及び書き込みスキャナ１３３を有する。それぞれのスキャナから信号が画素部１１０にマトリクス状に配置された画素に供給されることで、それぞれの画素に設けられるＴＦＴのオン、オフ動作が行われる。
【手続補正３】
【補正対象書類名】明細書
【補正対象項目名】００４１
【補正方法】変更
【補正の内容】
【００４１】
トランジスタＴ４は、トランジスタＴ２のドレインノード（ドレイン電極）と電流排出先ノード（例えば、電源ＶＳＳ）との間に接続されるリセットトランジスタである。トランジスタＴ４は、オートゼロスキャナ１３１からの駆動信号による駆動の下に、有機ＥＬ素子ＥＬの非発光期間に有機ＥＬ素子ＥＬが発光しないように制御する。トランジスタＴ１〜Ｔ４は、いずれもＰチャネル型のトランジスタから成る構成とすることができる。
【手続補正４】
【補正対象書類名】明細書
【補正対象項目名】００４６
【補正方法】変更
【補正の内容】
【００４６】
図５は、本開示の実施の形態に係る表示装置１００の駆動方法の比較例を示す説明図である。図５には、水平同期信号ＸＶＤ、信号電圧Ｖｓｉｇ、駆動スキャナ１３２からの信号ＤＳ、書き込みスキャナ１３３からの信号ＷＳ、オートゼロスキャナ１３１からの信号ＡＺの時間的推移が示されている。また図５には、トランジスタＴ２のソース電位Ｓｏｕｒｃｅおよびゲート電位Ｇａｔｅ、ならびに有機ＥＬ素子ＥＬのアノード電位Ａｎｏｄｅの時間的推移も示されている。
【手続補正５】
【補正対象書類名】明細書
【補正対象項目名】００５０
【補正方法】変更
【補正の内容】
【００５０】
図６は、本開示の実施の形態に係る表示装置１００の駆動方法の比較例を示す説明図である。図６には、水平同期信号ＸＶＤ、信号電圧Ｖｓｉｇ、駆動スキャナ１３２からの信号ＤＳ、書き込みスキャナ１３３からの信号ＷＳ、オートゼロスキャナ１３１からの信号ＡＺの時間的推移が示されている。また図６には、トランジスタＴ２のソース電位Ｓｏｕｒｃｅおよびゲート電位Ｇａｔｅ、ならびに有機ＥＬ素子ＥＬのアノード電位Ａｎｏｄｅの時間的推移も示されている。
【手続補正６】
【補正対象書類名】明細書
【補正対象項目名】００５３
【補正方法】変更
【補正の内容】
【００５３】
Ｖｔｈ補正後、映像信号の書き込み時に、トランジスタＴ２のゲートノードには黒電位に相当する信号電圧Ｖｓｉｇが書きこまれる。Ｖｔｈ補正後、映像信号書き込み後のゲートノードの電位をＶｇ’、黒電位に相当する信号電圧ＶｓｉｇをＶＣＣＰとすると、Ｖｇ’＝ＶＣＣＰとなる。ここでトランジスタＴ２のゲートノードの電位変動ΔＶｇは、Ｖｔｈ補正後、映像信号書き込み前のゲートノードの電位をＶｇとすると、
ΔＶｇ＝Ｖｇ’−Ｖｇ＝ＶＣＣＰ−Ｖｇ
で表される。
【手続補正７】
【補正対象書類名】明細書
【補正対象項目名】００５４
【補正方法】変更
【補正の内容】
【００５４】
一方、キャパシタＣ２を介して接続されているトランジスタＴ２のソースノードの電位変動ΔＶｓは、キャパシタＣ１の容量をＣｓｕｂ、キャパシタＣ２の容量をＣｓ、トランジスタＴ１がオフの時にトランジスタＴ２のソースノードの生成される寄生容量をＣｐ＿ｓとすると、
ΔＶｓ＝ΔＶｇ＊Ｃｓ／（Ｃｓ＋Ｃｓｕｂ＋Ｃｐ＿ｓ）＝（ＶＣＣＰ−Ｖｇ）＊Ｃｓ／（Ｃｓ＋Ｃｓｕｂ＋Ｃｐ＿ｓ）    ・・・（数式１）
で表される。
【手続補正８】
【補正対象書類名】明細書
【補正対象項目名】００６０
【補正方法】変更
【補正の内容】
【００６０】
Ｖｔｈ補正後、Ｖｓｉｇ書き込みの前に信号ＡＺがローからハイに遷移するが、その際、オートゼロスキャナ１３１からの信号線（ＡＺゲートライン）と、トランジスタＴ２のゲートノードとの間に存在する寄生容量Ｃｐ（Ｇａｔｅ−ＡＺ）を介して、信号ＡＺの変動がトランジスタＴ２のゲートノードに入る。信号ＡＺの変動によるトランジスタＴ２のゲート電位の電位変動ΔＶｇ（ＡＺ）は、
ΔＶｇ（ＡＺ）＝ΔＶ（ＡＺ）＊Ｃｐ（Ｇａｔｅ−ＡＺ）／（  Ｃｐ（Ｇａｔｅ−ＡＺ）＋（（１／Ｃｓ）＋（１／Ｃｓｕｂ））＋Ｃｐ＿ｇ）    ・・・（数式３）
で表される。ここでΔＶ（ＡＺ）は信号ＡＺの変振幅、Ｃｐ＿ｇはトランジスタＴ３がオフの時の、トランジスタＴ２のゲートノードに生成される寄生容量である。
【手続補正９】
【補正対象書類名】明細書
【補正対象項目名】００７０
【補正方法】変更
【補正の内容】
【００７０】
ＡＺゲートラインの電位が下がることにより、トランジスタＴ４の動作点が下がり、有機ＥＬ素子ＥＬのアノードノードの電位も下がる。トランジスタＴ４はＰチャネルのトランジスタである為、トランジスタＴ４がオンの時の有機ＥＬ素子ＥＬのアノード電位は、トランジスタＴ４がオンになるＡＺゲートラインの電位にトランジスタＴ４の閾値電圧を加えたものである。すなわちトランジスタＴ４がオン時のＡＺゲートラインの電位が低下すると、有機ＥＬ素子ＥＬのアノード電位もその分低下する。
【手続補正１０】
【補正対象書類名】明細書
【補正対象項目名】００７６
【補正方法】変更
【補正の内容】
【００７６】
図１４は、本開示の実施の形態に係る表示装置１００の駆動方法を示す説明図である。図１４には、水平同期信号ＸＶＤ、信号電圧Ｖｓｉｇ、駆動スキャナ１３２からの信号ＤＳ、書き込みスキャナ１３３からの信号ＷＳ、オートゼロスキャナ１３１からの信号ＡＺの時間的推移が示されている。
【手続補正１１】
【補正対象書類名】明細書
【補正対象項目名】００７８
【補正方法】変更
【補正の内容】
【００７８】
図１５は、本開示の実施の形態に係る表示装置１００の駆動方法を示す説明図である。図１５には、水平同期信号ＸＶＤ、信号電圧Ｖｓｉｇ、駆動スキャナ１３２からの信号ＤＳ、書き込みスキャナ１３３からの信号ＷＳ、オートゼロスキャナ１３１からの信号ＡＺの時間的推移が示されている。また図１５は、図９に示した（Ａ）のラインの領域におけるトランジスタＴ２のゲートノード、ソースノード、有機ＥＬ素子ＥＬのアノードノードの電位の変化を示している。
【手続補正１２】
【補正対象書類名】明細書
【補正対象項目名】００８０
【補正方法】変更
【補正の内容】
【００８０】
続いて本開示の実施の形態に係る表示装置１００は、映像信号書き込み期間内に、信号ＡＺをハイからローに遷移させている。このタイミングでは、トランジスタＴ２のゲートノードは映像信号電圧で接地されており、トランジスタＴ２の動作点に影響を及ぼすことはない。
【手続補正１３】
【補正対象書類名】明細書
【補正対象項目名】００９６
【補正方法】変更
【補正の内容】
【００９６】
１００      ：表示装置
１１０      ：画素部
１１１Ｂ    ：画素
１１１Ｇ    ：画素
１１１Ｒ    ：画素
１２０      ：水平セレクタ
１３０      ：垂直スキャナ
１３１      ：オートゼロスキャナ
１３２      ：駆動スキャナ
１３３      ：書き込みスキャナ
Ｃ１        ：キャパシタ
Ｃ２        ：キャパシタ
Ｃｐ        ：寄生容量
Ｃｓ        ：キャパシタ
ＤＳ        ：信号
ＥＬ        ：有機ＥＬ素子
Ｇａｔｅ    ：ゲート電位
ＳＣＮ      ：走査線
Ｔ１        ：トランジスタ
Ｔ２        ：トランジスタ
Ｔ３        ：トランジスタ
Ｔ４        ：トランジスタ
【手続補正１４】
【補正対象書類名】図面
【補正対象項目名】図８
【補正方法】変更
【補正の内容】
【図８】
2019082548.tif 000001